(57)【要約】【課題】タオル・ハンカチ用途において要求される、短いパイル長で、パイルが抜けず、尚且つ、しなやかであるとの要求品質を満たす両面カットパイル織物を、実現させることを課題とする。【解決の手段】両面カットパイル織物の織物組織を、パイル糸の左右に配置される２条のタテ糸が、パイル糸がヨコ糸に織り込まれている箇所で、同じ織組織で形成され、２条のタテ糸の間で、１本のヨコ糸に係止されているパイル糸を２本以下とし、タテ糸とヨコ糸が交差した地組織から突出した部分を除き、２本のパイル糸は同じ織組織で形成され、パイル糸のヨコ糸に対する上下の位置が、タテ糸の位置の逆の配置位置となり、１本のパイル糸を係止するヨコ糸の本数が３から５本で構成され、パイル糸の両端が共に織物の表面又は裏面に突出し、突出部の数が表裏面同じになるように構成する。【選択図】図１
2010077550.tif 000002
【特許請求の範囲】
【請求項１】
パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下である両面カットパイル織物において、
（ａ）パイル糸（１２）の左右に配置される２条のタテ糸（１０ａ）とタテ糸（１０ｂ）が、パイル糸（１２）がヨコ糸（１１）に織り込まれている箇所で、同じ織組織で形成され、
（ｂ）２条のタテ糸（１０ａ）とタテ糸（１０ｂ）の間で、１本のヨコ糸（１１）に係止されているパイル糸（１２）が２本以下であり、１本のヨコ糸１１に係止されているパイル糸１２が２本の場合は、タテ糸とヨコ糸が交差した地組織から突出した部分を除き、２本のパイル糸（１２）が同じ織組織で形成され、
（ｃ）パイル糸（１２）がヨコ糸（１１）に織り込まれている箇所で、パイル糸（１２）のヨコ糸（１１）に対する上下の配置位置が、タテ糸（１０ａ）、タテ糸（１０ｂ）の配置位置の逆の配置位置となる織組織で構成され、
（ｄ）１本のパイル糸（１２）を係止するヨコ糸（１１）の本数が３から５本で構成され、
（ｅ）２条のタテ糸（１０ａ）とタテ糸（１０ｂ）の間に配置されているパイル糸が、パイル糸の両端が共に織物の表面に突出したパイル糸（１２ａ）と、パイル糸の両端が共に織物の裏面に突出したパイル糸（１２ｂ）で形成され、
（ｆ）織物の表面に突出したパイル糸の突出部（２０）と、織物の裏面に突出したパイル糸の突出部（２０）の数が同じになるよう構成されたことを特徴とするタオルおよびハンカチ用途の両面カットパイル織物。
【請求項２】
２条のタテ糸（１０ａ）と（タテ糸１０ｂ）の間で、片面に突出したパイル糸の突出部（２０）が、ヨコ糸（１１）が３本配置される間に、１から２存在する構造であることを特徴とする、請求項１に記載のタオルおよびハンカチ用途の両面カットパイル織物。
【発明の詳細な説明】
【技術分野】
【０００１】
本発明は、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下である両面カットパイル織物に関するものである。
【背景技術】
【０００２】
従来の、パイル糸がタテ糸とヨコ糸が交差した地組織に係止され、織物表面と裏面にパイル糸のカット面が突出したパイル糸から成る両面パイル織物の基本的なパイル糸、タテ糸、ヨコ糸の関係が実用新案（特許文献１参照）に公開されており、この両面パイル織物は毛布等パイル糸の長い用途に使用されるための改善がなされて来た。
【０００３】
その改善例として、効率的に裏面にパイルを形成させるための方法、パイル長に変化をもたせるための方法が開示されており、特許（例えば、特許文献２参照）には、捨緯糸を用いず、ローラーの針で引きだす方法に伴い、１本のパイル糸の一端が織物表に、もう片方の端が織物の裏面に突出した図、あるいはタテ糸の配置を示す図が開示されており、特許公開公報（例えば、特許文献３参照）には、２本のパイル糸が同じヨコ糸に係止され織物の表裏を構成する図が公開されている。
【０００４】
また、高密度な質感とパイル抜けを防止する方法として、特許公開公報（例えば、特許文献４参照）には、パイル糸の左右に配置された２条のタテ糸の間で、１本のパイル糸の一端が織物表に、もう片方の端が織物の裏面に突出した３本のパイル糸が同じヨコ糸に係止された図が公開されている。
【０００５】
また、もう一つのパイル抜けを防止する方法として、特許公開公報（例えば、特許文献５参照）には、パイル糸の左右に配置されたタテ糸の間で、パイル糸の両端が、織物の表面に突出したパイル糸と、パイル糸の両端が、織物の裏面に突出したパイル糸の２本のパイル糸が同じヨコ糸に、ヨコ糸に対して上下の配置位置が逆の配置に係止された図が公開されており、パイル密度を増す対策と、パイル糸が係止するヨコ糸本数を５本以上にする方法が開示されている。
【０００６】
また、特許公開公報（例えば、特許文献６参照）には、タオル・ハンカチ分野への用途展開としてパイル糸の左右に配置されたタテ糸の間で、１本のパイル糸の一端が織物表に、もう片方の端が織物の裏面に突出したパイル糸が最大３本同じヨコ糸に係止された図が公開され、パイル糸の密度を増やしパイル抜け防止する方法が開示されているものの、タオル・ハンカチ分野への用途展開をするための、タテ糸、ヨコ糸、パイル糸の最適な配置構造に関して研究がなされていなかった。
【特許文献１】実公昭３７−０２１３９０号公報
【特許文献２】特許第３５６０５７８号（図１１、図４）
【特許文献３】特開２０００−３５５８４７号公報（図４）
【特許文献４】特開２０００−２２００５９号公報（図３）
【特許文献５】特開平１０−３７０４１号公報（請求項１、図３）
【特許文献６】特開平７−２４３１５５号公報（図２）
【発明の開示】
【発明が解決しようとする課題】
【０００７】
現在、市場に出回っている立毛タオル・ハンカチは、ループパイルのタオル織組織のタオル織物と、シェニール糸を織り込んだシェニール織物であり、両面ともにカットパイルで構成されている両面カットパイル織物のハンカチ・タオルは市場に出回っていない。
【０００８】
この両面カットパイル織物がタオル・ハンカチ市場に出回っていない要因は、両面カットパイル織物は、毛布等のパイル長の長いものに対しては完成度の高い織物であるが、短いパイル長を要求され、パイル糸が抜けず、尚且つ、しなやかさを要求されるタオル・ハンカチ用途においては、実際の市場で、要求品質を満たしていると評価されていなためであり、これが現状である。
【０００９】
そこで本発明は、タオル・ハンカチ用途において要求される、短いパイル長で、パイルが抜けず、尚且つ、しなやかであるとの要求品質を満たす両面ともにカットパイルで構成されている両面カットパイル織物を、実現させることを課題とする。
【課題を解決するための手段】
【００１０】
本発明に係る、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下であるタオルおよびハンカチ用途の両面カットパイル織物は、パイル糸１２の左右に配置される２条のタテ糸１０ａとタテ糸１０ｂが、パイル糸１２がヨコ糸１１に織り込まれている箇所で、同じ織組織で形成され、２条のタテ糸１０ａとタテ糸１０ｂの間で、１本のヨコ糸１１に係止されているパイル糸１２が２本以下であり、１本のヨコ糸１１に係止されているパイル糸１２が２本の場合は、タテ糸とヨコ糸が交差した地組織から突出した部分を除き、２本のパイル糸１２が同じ織組織で形成され、パイル糸１２がヨコ糸１１に織り込まれている箇所で、パイル糸１２のヨコ糸１１に対する上下の配置位置が、タテ糸１０ａ、タテ糸１０ｂの配置位置の逆の配置位置となる織組織で構成され、１本のパイル糸１２を係止するヨコ糸１１の本数が３から５本で構成され、２条のタテ糸１０ａとタテ糸１０ｂの間に配置されているパイル糸が、パイル糸の両端が共に織物の表面に突出したパイル糸１２ａと、パイル糸の両端が共に織物の裏面に突出したパイル糸１２ｂで形成され、織物の表面に突出したパイル糸の突出部２０と、織物の裏面に突出したパイル糸の突出部２０の数が同じになるよう構成されたことを第１の特徴とする。
【００１１】
本発明によれば、パイル糸１２がヨコ糸１１に織り込まれている箇所で、２条のタテ糸１０ａとタテ糸１０ｂが同じ織組織で、ヨコ糸１１に対しパイル糸１２と逆の位置配置となる織組織とする時、パイル糸１２とタテ糸１０はヨコ糸とヨコ糸の間の交差部２１で交差し、パイル糸の左右に配置されたタテ糸１０ａとタテ糸１０ｂとで、パイル糸１２を挟み込む構造となり、パイル糸にタテ糸よる圧力と摩擦抵抗力が加わることに加え、パイル糸１２とヨコ糸１１の接圧が強固に保たれるため、パイル糸１２とヨコ糸１１間の摩擦抵抗力が有効に機能し、パイル抜け防止に大きく寄与する。
【００１２】
また、１本のパイル糸１２を係止するヨコ糸１１の本数を３から５本にすることにより、パイル糸１２がタテ糸１０と交差する交差部２１でのパイル糸１２に加わる圧力と摩擦抵抗力の総和と、パイル糸１２とヨコ糸１１との間に発生する摩擦抵抗力の総和により、タオル・ハンカチとして必要なパイル抜け防止と、織物のしなやかさとを実現することができる。
【００１３】
また、タオル・ハンカチのように抵抗を受ける面がどちらか一方になる確率の高い商品においては、パイル糸が、パイル糸の両端が織物の表面に突出したパイル糸１２ａと、パイル糸の両端が織物の裏面に突出したパイル糸１２ｂで形成され、ヨコ糸の係止されたパイル糸１２の両端の突出部２０が織物の同じ面に突出して配置された構造により、パイル糸の両端の突出部２０が同時ないしは時間差で抵抗を受けるため、パイル糸の両端の突出部２０にかかるパイルを引き抜く力が差相殺され、パイル抜け防止に大きく寄与する。
【００１４】
また、２条のタテ糸１０ａとタテ糸１０ｂの間で、１本のヨコ糸１１に係止されるパイル糸の数を、２本以下にし、織物の表面に突出したパイル糸の突出部１３と、織物の裏面に突出したパイル糸の突出部１３の数が同じになるよう構成することにより、タオル・ハンカチに必要なしなやかさと、両面を表裏と意識せず使える実用性を実現できる。
【００１５】
また、本発明に係る両面カットパイル織物の第２の特徴は、２条のタテ糸１０ａとタテ糸１０ｂの間で、片面に突出したパイル糸の突出部２０が、ヨコ糸１１が３本配置される間に、１から２存在する構造である点にある。
【００１６】
本発明によれば、２条のタテ糸１０ａとタテ糸１０ｂの間で、片面に突出したパイル糸の突出部２０が、ヨコ糸１１が３本配置される間に、１から２存在する構造にすることにより、タオル・ハンカチとしての織物表面の質感を満足させたタオル・ハンカチ用途に適切な両面カットパイル織物を得ることができる。
【発明の効果】
【００１７】
本発明によると、パイル糸１２の左右に配置される２条のタテ糸１０ａとタテ糸１０ｂが、パイル糸１２がヨコ糸１１に織り込まれている箇所で、同じ織組織で形成され、２条のタテ糸１０ａとタテ糸１０ｂの間で、１本のヨコ糸１１に係止されているパイル糸１２が２本以下で、１本のヨコ糸１１に係止されているパイル糸１２が２本の場合は、タテ糸とヨコ糸が交差した地組織から突出した部分を除き、２本のパイル糸１２が同じ織組織で形成され、パイル糸１２がヨコ糸１１に織り込まれている箇所で、パイル糸１２のヨコ糸１１に対する上下の配置位置が、タテ糸１０ａ、タテ糸１０ｂの配置位置の逆の配置位置となる織組織で構成され、１本のパイル糸１２を係止するヨコ糸１１の本数が３から５本で構成され、２条のタテ糸１０ａとタテ糸１０ｂの間に配置されているパイル糸が、パイル糸の両端が共に織物の表面に突出したパイル糸１２ａと、パイル糸の両端が共に織物の裏面に突出したパイル糸１２ｂで形成され、織物の表面に突出したパイル糸の突出部１３と、織物の裏面に突出したパイル糸の突出部１３の数が同じになるよう構成ことにより、タオル・ハンカチとしての性能として要求されるパイル抜け防止と、織物のしなやかさとを持ち合わせたタオル・ハンカチ用途の両面カットパイル織物を得ることができる。
【００１８】
また、２条のタテ糸１０ａとタテ糸１０ｂの間で、片面に突出したパイル糸の突出部２０が、ヨコ糸１１が３本配置される間に、１から２存在する構造にすることにより、ハンカチとして最適なパイル抜け防止と、織物のしなやかさと、織物表面の質感を両立させたタオル・ハンカチ用途の両面カットパイル織物を得ることができる。
【発明を実施するための最良の形態】
【００１９】
以下、図面に示す実施の形態により、本発明を詳細に説明する。
【００２０】
図１は、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下であるタオルおよびハンカチ用途の両面カットパイル織物は、パイル糸１２の左右に配置される２条のタテ糸１０ａとタテ糸１０ｂが、パイル糸１２がヨコ糸１１に織り込まれている箇所で、同じ織組織で形成され、２条のタテ糸１０ａとタテ糸１０ｂの間で、１本のヨコ糸１１に係止されているパイル糸１２が１本で、パイル糸１２がヨコ糸１１に織り込まれている箇所で、パイル糸１２のヨコ糸１１に対する上下の配置位置が、タテ糸１０ａ、タテ糸１０ｂの配置位置の逆の配置位置となる織組織で構成され、１本のパイル糸１２を係止するヨコ糸１１の本数が３本で構成され、２条のタテ糸１０ａとタテ糸１０ｂの間に配置されているパイル糸が、パイル糸の両端が共に織物の表面に突出したパイル糸１２ａと、パイル糸の両端が共に織物の裏面に突出したパイル糸１２ｂで形成され、織物の表面に突出したパイル糸の突出部２０と、織物の裏面に突出したパイル糸の突出部２０の数が同じになるよう構成された本発明のタオル・ハンカチ用途の両面カットパイル織物のタテ糸、ヨコ糸、パイル糸の構造を示したものである。
【００２１】
図２は、２条のタテ糸１０ａとタテ糸１０ｂの間で、１本のヨコ糸１１に係止されているパイル糸１２が２本で構成された本発明のタオル・ハンカチ用途の両面カットパイル織物のタテ糸、ヨコ糸、パイル糸の構造を示したものである。
【００２２】
図２において、２条のタテ糸１０ａとタテ糸１０ｂの間で、ヨコ糸１１に対し、パイル糸１２ｂ、パイル糸１２ｃの２本のパイル糸が係止され、パイル糸１２ａ、パイル糸１２ｃの両端が織物の表に突出し、パイル糸１２ｂ、パイル糸１２ｄの両端が織物の裏に突出し、パイル糸１２ａ・１２ｂ・１２ｃ・１２ｄともに、ヨコ糸１１に対する上下の配置位置が、タテ糸１０ａ、タテ糸１０ｂの配置位置の逆の配置位置となる織組織で構成されている。
【００２３】
図３は、本発明における２条のタテ糸１０ａとタテ糸１０ｂの間で、１本のヨコ糸１１に係止されているパイル糸１２が１本であるタオル・ハンカチ用途の両面カットパイル織物のタテ糸、ヨコ糸、パイル糸の構造を図示するヨコ糸を切断する方向の断面図であり、パイル糸１２ａ・１２ｂがタテ糸１０の配置位置の逆の配置位置となる織組織で構成され、１本のパイル糸１２を係止するヨコ糸１１の本数が３本で構成され、隣り合うヨコ糸１１間の交差部２１でパイル糸１２とタテ糸１０が交差し、パイル糸１２ｂの両端の端部２２が共に裏面に突出した状態を示すものであり、本発明におけるパイル長３４とは、図３に示したように、タテ糸とヨコ糸が交差した地組織から突出したパイルの長さのことを言う。
【００２４】
なお、本発明における両面カットパイル織物の構造は２条のタテ糸１０ａとタテ糸１０ｂが同じ織組織であるため、図３において、タテ糸１０はヨコ糸とヨコ糸の間の交差部２１で、パイル糸の左右に配置されたタテ糸１０ａとタテ糸１０ｂとで、交差した状態でパイル糸１２を挟み込む構造となり、ヨコ糸１１とヨコ糸１１の間に常に存在する交差部２１で、常にパイル糸にタテ糸の交差による圧力と摩擦抵抗力が加わることに加え、パイル糸１２とヨコ糸１１の接圧が強固に保たれるため、パイル糸１２とヨコ糸１１間の摩擦抵抗力が有効に機能し、パイル抜け防止に大きく寄与する構造となっている。
【００２５】
また、図３においては、１本のパイル糸１２を係止するヨコ糸１１の本数を３本にした例を示しているが、１本のパイル糸１２を係止するヨコ糸１１の本数を３から５本にすることにより、パイル糸１２がタテ糸１０と交差する交差部２１でのパイル糸１２に加わる圧力と摩擦抵抗力の総和と、パイル糸１２とヨコ糸１１との間に発生する摩擦抵抗力の総和により、タオル・ハンカチとして必要なパイル抜け防止と、織物のしなやかさとを実現することができる。
【００２６】
なお、図４は、本発明と異なるタテ糸、ヨコ糸、パイル糸の構造を図示するものであり、パイル糸１２がタテ糸１０の配置位置と同じ配置位置となる織組織となる場合、本発明のような交差部２１が常に発生する状態でなく、図４に示したように、交差部２１が発生しない状態となる可能性があり、パイル糸１２を挟み込む構造が発生せず、パイル抜け防止として不十分であるため、従来の対策のようにパイル糸の密度を上げるしかなく、パイル長の短さを要求されるタオル・ハンカチ用途に対しては、本発明の糸配置構造の方が、有効な構造となっていると考えられる。
【００２７】
図５は、２条のタテ糸１０ａとタテ糸１０ｂの間で、１本のヨコ糸１１に係止されているパイル糸１２が２本で構成された本発明のタオル・ハンカチ用途の両面カットパイル織物の、２条のタテ糸１０ａとタテ糸１０ｂの間のタテ糸、ヨコ糸、パイル糸の構造を示すものである。
【００２８】
なお、２条のタテ糸１０ａとタテ糸１０ｂの間で、１本のヨコ糸１１に係止されているパイル糸１２を３本以上で構成すると、タテ糸１０ａとタテ糸１０ｂで挟み込んだ３本の配置位置が不安定となり、タテ糸１０ａとタテ糸１０ｂでの挟み込みによる効果が減少し望ましくない。
【００２９】
図６は、本発明における２条のタテ糸１０ａとタテ糸１０ｂの間で、１本のヨコ糸１１に係止されているパイル糸１２が１本であるタオル・ハンカチ用途の両面カットパイル織物のタテ糸、ヨコ糸、パイル糸の構造を図示するタテ糸を切断する方向の断面図であり、ヨコ糸１１に対し、パイル糸１２がタテ糸１０ａ・１０ｂの配置位置の逆の配置位置となる織組織で構成された状態を示すものである。
【００３０】
なお、本発明のタオル・ハンカチ用途の両面カットパイル織物は、図６のように、パイル糸１２を介さず隣り合うタテ糸１０ｂとタテ糸１０ｃがヨコ糸１１に対し、逆の配置位置となる織組織で構成される、ヨコ糸１１とタテ糸１０から成る地組織から成っている。
【００３１】
本発明においては、隣り合うヨコ糸間の交差部２２で、タテ糸１０とパイル糸１２が交差し、タテ糸１０ａ・１０ｂで挟み込む構造のため、図６におけるパイル糸１２の配置位置が左右にぶれることなく安定した配置構造となる。
【００３２】
図７は、本発明における２条のタテ糸１０ａとタテ糸１０ｂの間で、１本のヨコ糸１１に係止されているパイル糸１２が２本であるタオル・ハンカチ用途の両面カットパイル織物のタテ糸、ヨコ糸、パイル糸の構造を図示するタテ糸を切断する方向の断面図である。
【００３３】
図８は、本発明におけるタオル・ハンカチ用途の両面カットパイル織物に抵抗物３５が接触した状態を示すものであり、タオル・ハンカチのように抵抗を受ける面がどちらか一方になる確率の高い商品においては、パイル糸が、パイル糸の両端が織物の表面に突出したパイル糸１２ａと、パイル糸の両端が織物の裏面に突出したパイル糸１２ｂで形成され、ヨコ糸の係止されたパイル糸１２の両端が織物の同じ面に突出して配置された構造により、パイル糸の両端の突出部２０が同時ないしは時間差で抵抗を受けるため、パイル糸の両端の突出部２０にかかるパイルを引き抜く力が差相殺され、パイル糸の両端が織物の表面に突出したパイル糸１２ａと、パイル糸の両端が織物の裏面に突出したパイル糸１２ｂで形成され、ヨコ糸の係止されたパイル糸１２の両端が織物の同じ面に突出して配置された構造が、パイル抜け防止に大きく寄与する状態を示している。
【００３４】
図９は、本発明における２条のタテ糸１０ａとタテ糸１０ｂの間で、１本のヨコ糸１１に係止されているパイル糸１２が１本であるタオル・ハンカチ用途の両面カットパイル織物を形成するための原理を図示したものである。
【００３５】
本発明の織物は、図９のように、タテ糸１０とヨコ糸１１が交差してなる上下２面の地組織と、上面の地組織の上と下面の地組織の下に配置されたタテ糸１０と交差していない捨てヨコ糸１３とをパイル糸１２が連結した立体構造の織物を作り、上下２面の地組織の間のパイル糸１２を上下２面の中心で切断し、捨てヨコ糸１３を矢印の方向に引抜くことにより、上面においては、上下２面の中心で切断されたパイル糸１２ａの両端が地組織から引きずり出され、下面においては、上下２面の中心で切断されたパイル糸１２ｂの両端が地組織から引きずり出され、形成される。
【００３６】
なお、図９の形成原理にて作り出されたタオル・ハンカチ用途の両面カットパイル織物は、本発明の構造を有し、タオル・ハンカチ用途としての性能を有するものの、捨てヨコ糸１３を矢印の方向に引抜く前の、捨てヨコ糸１３を挟むヨコ糸１１ａ・１１ｂ間の距離は、捨てヨコ糸１３を織組織させるため、捨てヨコ糸１３が配置されない隣り合うヨコ糸１１間の距離より長くなり、捨てヨコ糸１３が存在していた部分のヨコ糸密度が他の部分に対し若干低下し、本発明のタオル・ハンカチ用途の両面カットパイル織物の理想的な織物構造となっていない。
【００３７】
そこで、本発明のタオル・ハンカチ用途の両面カットパイル織物の理想的な織物構造を実現させる方法を図１０に示す。
【００３８】
図１０は、本発明のタオル・ハンカチ用途の両面カットパイル織物の理想的な織物構造を実現させる方法を示すものであり、この方法の特徴は、図１０のように、固定部３２に一端が固定され、タテ糸１０とヨコ糸１１が交差してなる上下２面の地組織の上下に配置され、捨てヨコ糸１３のみを、上面の場合は上に、下面の場合は下に配置させる開口をする捨てヨコ糸用固定タテ糸１４を用いる点にあり、捨てヨコ糸用固定タテ糸１４として、タテ糸１０に比べ曲がりにくいテグスを使用している点にある。
【００３９】
なお、本方法は、捨てヨコ糸用固定タテ糸１４をテグスに限定するものでなく、タテ糸として開口運動が可能で、タテ糸１０とヨコ糸１１が交差してなる上下２面の地組織の上下に配置され、捨てヨコ糸１３のみを、上面の場合は上に、下面の場合は下に配置させるできる硬度の素材であれば、ワイヤーのような金属素材であってもよい。
【００４０】
また、図９においては、地組織に捨てヨコ糸１３が食い込んだ状態であったが、本方法においては、この曲がりにくいテグスを捨てヨコ糸用固定タテ糸１４として使用することにより、捨てヨコ糸用固定タテ糸１４を介し、完全に地組織から分離した位置に捨てヨコ糸１３を配置することが可能と成り、この配置に伴い、捨てヨコ糸１３を抜き取った後、捨てヨコ糸１３を挟む関係にあったヨコ糸１１ａ・１１ｂ間のヨコ糸間距離Ｌを、パイル糸１２が組織し捨てヨコ糸１３を挟まない関係にあったヨコ糸１１ａ・１１ｂ間のヨコ糸間の距離に対し、１０％以内の伸びに縮めることができ、本発明のタオル・ハンカチ用途の両面カットパイル織物の理想的な織物構造を実現させることができる。
【００４１】
なお、ヨコ糸用固定タテ糸１４の固定部３２に固定されていない方の端部は、織前３３から約１０ｃｍ程度捨てヨコ糸１３により織込まれ、織物を織進んでも、固定部３２にヨコ糸用固定タテ糸１４の一端が固定されているため、ヨコ糸用固定タテ糸１４の先端は織前３３から約１０ｃｍ程度の位置で留まるため、織進むにつれ、織前３３から約１０ｃｍ以降の箇所には、織物からヨコ糸用固定タテ糸１４が存在しなくなる仕組みになっている。
【００４２】
また、パイル糸がタテ糸とヨコ糸が交差した地組織に係止され、織物表面と裏面にパイル糸のカット面が突出し、タテ糸とヨコ糸が交差した地組織から突出したパイル長が５ｍｍ以下であるタオルおよびハンカチ用途の両面カットパイル織物は、パイル糸１２の左右に配置される２条のタテ糸１０ａとタテ糸１０ｂが、パイル糸１２がヨコ糸１１に織り込まれている箇所で、同じ織組織で形成され、２条のタテ糸１０ａとタテ糸１０ｂの間で、１本のヨコ糸１１に係止されているパイル糸１２が２本以下で、１本のヨコ糸１１に係止されているパイル糸１２が２本の場合は、タテ糸とヨコ糸が交差した地組織から突出した部分を除き、２本のパイル糸１２が同じ織組織で形成され、パイル糸１２がヨコ糸１１に織り込まれている箇所で、パイル糸１２のヨコ糸１１に対する上下の配置位置が、タテ糸１０ａ、タテ糸１０ｂの配置位置の逆の配置位置となる織組織で構成され、２条のタテ糸１０ａとタテ糸１０ｂの間に配置されているパイル糸が、パイル糸の両端が共に織物の表面に突出したパイル糸１２ａと、パイル糸の両端が共に織物の裏面に突出したパイル糸１２ｂで形成され、１本のパイル糸１２を係止するヨコ糸１１の本数が３から５本で構成され、織物の表面に突出したパイル糸の突出部２０と、織物の裏面に突出したパイル糸の突出部２０の数が同じになるよう構成された本発明の両面カットパイル織物を試作した結果、２条のタテ糸１０ａとタテ糸１０ｂの間で、片面に突出したパイル糸の突出部２０が、ヨコ糸１１が３本配置される間に、１から２存在する構造にすることにより、タオルおよびハンカチ用途において、最適なパイル抜け防止と、しなやかさと、より最適な織物表面の質感を両立させたタオル・ハンカチ用途の両面カットパイル織物を得ることができることが判明した。
【図面の簡単な説明】
【００４３】
【図１】本発明に係る織物の斜視図である。
【図２】本発明に係る織物の斜視図である。
【図３】本発明に係る織物の断面図である。
【図４】本発明に係る織物の断面図である。
【図５】本発明に係る織物の斜視図である。
【図６】本発明に係る織物の断面図である。
【図７】本発明に係る織物の断面図である。
【図８】本発明に係る織物の試験時の断面図である。
【図９】本発明に係る織物製造方法を示す斜視図および断面図である。
【図１０】本発明に係る織物製造方法を示す斜視図および断面図である。
【符号の説明】
【００４４】
１０・１０ａ・１０ｂ・１０ｃ：タテ糸
１１・１１ａ・１１ｂ：ヨコ糸
１２・１２ａ・１２ｂ・１２ｃ・１２ｄ：パイル糸
１３：捨てヨコ糸
１４：捨てヨコ糸用固定タテ糸
２０：突出部
２１：交差部
２２：端部
３０：筬
３１：開口用ソウコウ部
３２：固定部
３３：織前
３４：パイル長
３５：抵抗物
【図１】
2010077550.tif 000003
【図２】
2010077550.tif 000004
【図３】
2010077550.tif 000005
【図４】
2010077550.tif 000006
【図５】
2010077550.tif 000007
【図６】
2010077550.tif 000008
【図７】
2010077550.tif 000009
【図８】
2010077550.tif 000010
【図９】
2010077550.tif 000011
【図１０】
2010077550.tif 000012